(57)【要約】【課題】電池電極あるいは電池接片の汚れや酸化皮膜による接触不良を防止する電池収納構造を提供する。【解決手段】電池室は、電池収納室２と、電池蓋６と、電池電極と接触する電池接片３、５と、電池蓋６と電池接片３とに係止する連動部材７とを備える。連動部材７は支点７ａを中心に揺動可能に保持されている。電池蓋６は、係合部６ｂを中心にして回動可能に支持されているとともに、蓋を閉めた後図中左方向にスライド可能に保持されている（ロック動作）。電池１が電池収納室２に装填され、電池蓋６が閉められロックされると、電池接片５は電池電極面１ｂに対して摺動する。また、ロック動作に連動して、電池接片３は電池電極１ａに対して摺動する。その結果、電池電極面あるいは電池接片に付着していた汚れや酸化皮膜が除去され、良好な電気接触状態が得られる。【選択図】  図１
2004192835.tif 000002
【特許請求の範囲】
【請求項１】
電池の出し入れを行うための開口部を有し、装填される電池の少なくとも一つの電池電極面が電池の装填方向に垂直であって、前記電池電極面が前記開口部の奥側に配置されるよう電池が収納される電池収納室と、
前記電池電極面と電気接触する接触部を有する電池接片と、
前記電池収納室の開口部を閉じる閉じ位置と前記電池収納室の開口部を開く開き位置との間で移動可能な電池蓋と、
前記電池蓋の開き位置から閉じ位置への移動に連動して、あるいは電池蓋を閉じ位置に係止するための係止動作に連動して、前記電池接片の接触部を前記電池電極面に対して摺動させる摺動手段と、
を備えたことを特徴とする電池収納構造。
【請求項２】
電池の出し入れを行うための開口部を有し、装填される電池の少なくとも一つの電池電極面が電池の装填方向に垂直であって、前記電池電極面が前記開口部の奥側に配置されるよう電池が収納される電池収納室と、
前記電池電極面と電気接触する接触部を有する電池接片と、
電池の装填に伴って前記電池接片の接触部を前記電池電極面に対して摺動させる摺動手段と、
を備えたことを特徴とする電池収納構造。
【請求項３】
前記摺動手段は、
電池の装填方向と所定の角度をなす方向に前記電池接片を移動可能にガイドするガイド手段と、
前記電池接片の接触部を前記電池電極面に押し当てる付勢手段と、
を備えたことを特徴とする請求項２に記載の電池収納構造。
【請求項４】
前記摺動手段は、
電池の装填方向と平行な方向に直進移動するガイド手段と、
前記電池接片を保持し回転軸を持つ台板と、
ガイド手段の直進移動を台板の回転運動に変換する伝達手段と、
を備えたことを特徴とする請求項２に記載の電池収納構造。
【請求項５】
請求項１乃至４のいずれかに記載された電池収納構造を備えたことを特徴とする電子機器。
【発明の詳細な説明】
【０００１】
【発明の属する技術分野】
本発明は、電子機器に電池を収納するための電池収納構造に関する。詳しくは電池電極面と電池接片との電気接触状態を良好に保つ電池収納構造に関する。また、そのような電池収納構造を備えた電子機器に関する。
【０００２】
【従来の技術】
従来、電子機器の電池室には、特許文献１に記載されているように、電池電極面と電池の装填方向とが平行になるように電池が電池室（電池収納部）に収納されるものと、特許文献２に記載されているように、電池電極面と電池の装填方向とが垂直になるように電池が電池室（電池ケース）に収納されるものと、がある。
【０００３】
また、特許文献３には、電池電極面と電池の装填方向とが垂直である電池収納部を備え、電池蓋を閉状態にするとき、電池収納部の開口側の電池電極面と電池蓋に配置された電池接片とが摺動する構成が記載されている。
【０００４】
【特許文献１】特開２００２−３１３３０２号公報
【特許文献２】特開２００２−７５３０６号公報
【特許文献３】特開２００２−２８７２２５号公報
【発明が解決しようとする課題】
このような電池室の電池接片や、電池電極面に、汚れや酸化皮膜がついていると、接触不良が生じやすく電子機器の安定した動作が得られない。電池電極面や電池接片の表面に汚れや酸化皮膜がついている状態で、電池電極面と電池装填方向とが平行である構造の電池収納室に電池を装填する場合には、電池電極面と電池接片とが互いに擦れあう構成となっているため、結果的に電池電極面や電池接片の汚れや酸化皮膜が擦りとられ、良好な接触状態を得ることができる。
【０００５】
しかしながら、特許文献２に記載された、電池電極面と電池装填方向とが垂直である構造の電池収納室では、電池装填により電池電極面と電池接片とが接触はするものの、電池電極面あるいは電池接片の表面に汚れや酸化皮膜が付着していると良好な電気接触状態を得ることができない。特に、電池収納部奥側の電池接片の汚れや酸化皮膜は、清掃によって充分に取り除くことが困難であるため、接触不良が生じやすい。
【０００６】
特許文献３に記載された電池室は、電池蓋を閉じることによって、電池収納部の開口側に配置された電池接片が電池電極面に対し摺動する構成であるため、結果的に、電池接片の汚れや酸化皮膜が取り除かれる可能性がある。しかし、特許文献３においては、そのような作用についても、また上記問題点についても認識されていない。さらに、特許文献３に記載された電池収納構造では、電池収納部奥側の電池接片の汚れ、酸化皮膜を取り除くことは不可能である。
【０００７】
また、電池電極面あるいは電池接片の汚れや酸化皮膜による接触不良は、接触圧を高めることでは解決できず、電池電極面あるいは電池接片の汚れや酸化皮膜を取り除く以外に方法はない。
【０００８】
本発明はこのような問題点に鑑み、電池電極面や電池接片表面の汚れ、あるいは酸化皮膜によって生じる接触不良を防止し、良好な電気接触状態の得られる電池収納構造を提供することを目的とする。また、そのような電池収納構造を備えた電子機器を提供することを目的とする。
【０００９】
【課題を解決するための手段】
上記目的を達成するために、請求項１の発明は、電池の出し入れを行うための開口部を有し、装填される電池の少なくとも一つの電池電極面が電池の装填方向に垂直であって、前記電池電極面が前記開口部の奥側に配置されるよう電池が収納される電池収納室と、前記電池電極面と電気接触する接触部を有する電池接片と、前記電池収納室の開口部を閉じる閉じ位置と前記電池収納室の開口部を開く開き位置との間で移動可能な電池蓋と、前記電池蓋の開き位置から閉じ位置への移動に連動して、あるいは電池蓋を閉じ位置に係止するための係止動作に連動して、前記電池接片の接触部を前記電池電極面に対して摺動させる摺動手段と、を備えた電池収納構造である。
【００１０】
請求項２の発明は、電池の出し入れを行うための開口部を有し、装填される電池の少なくとも一つの電池電極面が電池の装填方向に垂直であって、前記電池電極面が前記開口部の奥側に配置されるよう電池が収納される電池収納室と、前記電池電極面と電気接触する接触部を有する電池接片と、電池の装填に伴って前記電池接片の接触部を前記電池電極面に対して摺動させる摺動手段と、を備えた電池収納構造である。
【００１１】
請求項３の発明は、請求項２に記載の電池収納構造であって、前記摺動手段は、電池の装填方向と所定の角度をなす方向に前記電池接片を移動可能にガイドするガイド手段と、前記電池接片の接触部を電池電極面に押し当てる付勢手段と、を備える。
【００１２】
請求項４の発明は、請求項２に記載の電池収納構造であって、前記摺動手段は、電池の装填方向と平行な方向に直進移動するガイド手段と、前記電池接片を保持し回転軸を持つ台板と、ガイド手段の直進移動を台板の回転運動に変換する伝達手段と、を備える。
【００１３】
請求項５の発明は、請求項１乃至４のいずれかに記載された電池収納構造を備えた電子機器である。
【００１４】
【発明の実施の形態】
以下、本発明の実施形態について、図面を参照しながら説明する。
【００１５】
図４に本発明の第１の実施形態であるデジタルカメラの正面方向の斜視図、図５に本発明の第１の実施形態であるデジタルカメラの背面方向の斜視図を示す。
【００１６】
デジタルカメラ１００は、前面に撮影レンズ１０１、フラッシュ１０２、ファインダー窓（対物側）１０３を備えている。デジタルカメラ１００上面にはレリーズボタン１０４が設けられている。デジタルカメラ１００は、背面に液晶モニタ１０５、メインスイッチおよびモード選択スイッチ１０６、ファインダー窓（接眼側）１０３、および設定ボタン１０７を備えている。また側面下側には電池を収納するための電池室の電池蓋６が配置されている。
【００１７】
撮影レンズ１０１後方の内部には撮像素子（図示しない）が配置されている。デジタルカメラ１００は、撮影対象からの光を撮影レンズ１０１により撮像素子上に結像させ、撮像素子により光を電気信号に変換することによって画像を撮影する。撮像素子は多数の画素が２次元に配列されたカラーエリアセンサであり、撮像素子の各画素が出力する信号に所定の処理を施すことによって、撮影された画像を表す画像データが生成される。
【００１８】
デジタルカメラ１００は、静止画像の撮影を行う静止画撮影モードと、記録している画像データが表す画像を再生表示する再生モードとを有する。これらのモード変更は、モード選択スイッチ１０６を所定の位置にスライドして合わせることにより行う。
【００１９】
静止画撮影モードにおいては、画像の撮影と画像データの生成を所定の周期（例えば１／３０秒）で繰り返しつつ、その間にレリーズボタン１０４の操作によって与えられる記録指示に応じて、記録用の画像を撮影しその画像を表す画像データを生成して、生成した画像データを着脱可能なカード状のメモリカード（図示しない）に記録する。
【００２０】
記録指示がある前に生成された画像データは液晶モニタ１０５に与えられ、各画像データの表す画像が液晶モニタ１０５に表示される。これによりライブビューが提供される。メモリカードに記録される画像データも液晶モニタ１０５に与えられ、その画像が表示される。この画像は他の画像よりも長時間表示され、記録する画像データの確認に利用される。
【００２１】
再生モードにおいては、メモリカードに記録されている画像データを読み出して液晶モニタ１０５に与え、その画像データが表す画像を表示する。
【００２２】
なお、メモリカード装着時にはデジタルカメラ１００側面に設けられたカードスロットカバー（図示しない）を開け、メモリカード全体をデジタルカメラ１００内に収納する。
【００２３】
次に電池を収納し、電池から電圧（電流）を取り出す電池室について説明する。図２は、図５のＡ−Ａ断面図であり、電池室の構成を示している。電池室以外の構成については省略している。また、図１は、電池装填時の電池室の動作を説明する図であり、図１（ａ）は電池が装填されているが、電池蓋が開いている状態を表し、図１（ｂ）は電池蓋が閉められているが、係止されていない状態を示し、図１（ｃ）は電池蓋が閉められて係止されている状態を示す。
【００２４】
図３は本実施形態のデジタルカメラに用いる電池の斜視図である。電池１は、例えば単３型電池といった円筒型電池であって、円筒の両端にマイナス側電極１ａとプラス側電極１ｂが配置されている。
【００２５】
図１、図２で示される電池室は、電池を収納する電池収納室２と、電池収納室の奥側に配置された電池接片３と、電池収納室を閉じる電池蓋６と、電池蓋６と電池接片３とに連結し電池蓋６の動きを電池接片３に伝える連動部材７とを含む構成である。連動部材７は、電池蓋６の動きを電池接片３の動きに変換する、リンク機構を形成している。
【００２６】
図１と図２を用いて、個々の構成についてさらに詳しく説明する。電池収納室２のカメラ側の底部には開口部が設けられており、この開口部を通して２本の電池１が、電池収納室２の内部に挿脱自在に収納される。電池の装填方向は電池電極面１ａ、１ｂと垂直な方向である。電池装填時、電池１は図３に示すように、プラス電極とマイナス電極の向きを互い違いにして装填される。なお、以下の説明では、１本の電池に対する電池接片の摺動構造について説明を行う。
【００２７】
電池収納室の内部には、電気伝導度のよい金属製の電池接片３が配置されており、電池１が装填されると電池１の電極と電池接片３の接触部３ａが当接し電気的な接続が行われる。電池接片３は弾性を持っており、充分な接触圧を得ることができる。なお、電池接片３は２本の電池の電極それぞれに独立に存在し、それぞれの電池接片は電気的にはつながっておらず、それぞれの電池接片３はリード線８により、図示しない回路基板に接続されている。
【００２８】
電池収納後、電池収納室２の開口部を閉じる電池蓋６は、係止部６ａと係合部６ｂを有し、係合部６ｂを中心にして回動可能に支持されている。この係合部６ｂを中心とする回転動作により電池蓋の開閉を行う。係止部６ａは電池蓋６を閉めてロックするためのものであり、電池収納室の係止部２ａに電池蓋６の係止部６ａをかみ合わせることで係止される。また、電池蓋６は、蓋を閉めた後図中左方向にスライド可能に保持されている（保持機構は図示しない）。電池蓋６の内側には電池接片５が取り付けられている。電池接片５は、２本の電池のそれぞれ片側（図中下側）のプラス電極とマイナス電極とを電気的に接続するためのものであり、電気伝導性のよい金属板でできている。また、電池蓋６は、連動部材７によって、電池接片３と連結されている。
【００２９】
連動部材７は、支点７ａを中心に揺動可能に保持されている。また、連動部材７は、その両端に係合部７ｂと係合部７ｃを有している。係合部７ｂにおいて、電池蓋６の係合部６ｂと係合し電池蓋６と連結している。また、係合部７ｃにおいて、電池接片３の穴３ｂと係合し、電池接片３と連結している。つまり連動部材７は、電池蓋６と電池接片３とに連結するリンク機構を形成し、電池蓋６のスライド動作を電池電極３のスライド動作に変換する役割を持っている。
【００３０】
次に、電池装填時の電池室の動作について説明する。電池１を電池収納室２に装填し（図１（ａ））、電池蓋６を閉めると（図１（ｂ））、電池１の二つの電池電極はそれぞれ電池接片３、５と当接する。
【００３１】
ここで図中左方向に電池蓋６をスライドさせ、図１（ｃ）のように、係止部６ａと係止部２ａをかみ合わせると、電池１の電極（図１（ｃ）では電極１ｂ）と電池接片５とが互いに擦れ合うこととなり、電池電極面あるいは電池接片５表面の汚れや酸化皮膜が取り除かれる。また、電池蓋６の係止動作に連動して連動部材７は支点７ａを中心に図中時計回りに回転し、電池接片３が図中右方向にスライドする。この結果、電池電極面（図１（ｃ）では電極１ａ）と接触部３ａが互いに擦れ合い、電池電極面あるいは電池接片３表面の汚れや酸化皮膜が取り除かれる。
【００３２】
なお、上記説明では、１本の電池に対する電池接片の摺動機構についてのみ説明を行っているが、図１の図中紙面奥側には同様の構成の摺動手段（リンク機構）が存在しており、電池収納室２に収納される電池のすべての電極面に対し電池接片が摺動する構成を備えている。
【００３３】
以上説明した構成では、電池の装填後、電池蓋を閉め、ロックさせるスライド動作によって、電池接片の接触部を電池電極面に対して摺動させることができる。その結果、電池電極面あるいは電池接片３、５表面の汚れや酸化皮膜が取り除かれ、良好な電気接触状態が得られる。特に、電池収納室奥側の電池接片３は、その汚れや酸化皮膜を容易に取り除くことができないため、良好な電気接触状態を得るためには非常に効果がある。
【００３４】
なお、本実施形態では、電池蓋を回動させて閉じた後の係止動作と連動して、電池接片を電池電極面に対して摺動させているが、電池蓋をスライドさせて蓋を閉じる場合にも、上記機構は適用できる。このような機構を持つ変形例として、例えば、電池蓋６が連動部材７と連結されておらず取り外し可能であり、電池蓋を閉じる場合、図１における右方向から電池蓋をスライドさせて閉じる構成がある。この変形例について、図１で用いた部品名称及び符号を、変形例の対応する部位の部品名称及び符号として代用して、構成および動作を説明する。連動部材７の下端（７ｂ近傍）には図１における右方向に付勢力が与えられており、その付勢力に逆らって、電池蓋６をスライドさせると、スライド動作に連動して電池蓋の６ｂ近傍が連動部材の７ｂ近傍を押すことで、連動部材が支点７ａを中心に回転し、その結果電池電極面１ａに対し電池接片３がスライドして摺動する。
【００３５】
また、電池蓋の回転による閉じ動作に連動して、電池電極と電池接片とを摺動させてもよい。そのような動作を行う構成例を図１２に示す。
【００３６】
図１２は図１で示した構成例の変形であり、電池蓋の係止部６ｂと連動部材の係止部７ｂの部分が異なる以外には、図１の構成と同様の構成を持っている。電池蓋６の回転軸には、カム６０が設けられており、電池蓋６の閉じ動作に伴ってカムが回転する。ただし、電池蓋を全開する場合図１２（ａ）に示す電池蓋の状態以降（電池蓋を閉める場合には図１２（ａ）で示される状態まで）は電池蓋６とカム６０の回転は連動せず、電池蓋６が図１２（ａ）の状態から全閉されるまでの間は、電池蓋６とカム６０の回転とが連動するよう構成されている。
【００３７】
電池１が電池収納室２に奥まで装填され、電池電極面と電池接片３が当接し充分な接触圧が得られると、図示しないロック機構により電池１は電池収納室２から排出されないよう固定される（図１２（ｂ））。
【００３８】
電池蓋６を閉めるとカム６０が回転し、連動部材７下端を図中左方向に移動（支点７ａ中心に回転）させる。その結果電池接片３が電池電極面に対し摺動する（図１２（ｃ））。
【００３９】
なお、電池蓋の係止機構、連動部材７をカム６へ付勢する機構、電池蓋６を全開状態にする機構（電池蓋６とカム６０との部分的な連動機構）は図示していないが、適宜、配置構成すればよい。
【００４０】
以上、電池蓋の閉じ位置に係止する動作に連動して、あるいは、電池蓋の開け位置から閉じ位置への移動に連動して、電池電極面に対し電池接片を摺動させる機構の例について説明したが、上記以外の機構であっても構わない。
【００４１】
次に第２の実施形態であるデジタルカメラの電池室について説明する。電池室以外の部分については、第１の実施形態で説明したデジタルカメラと同様の構成を持っているので説明を省略する。
【００４２】
図６は、第２の実施形態の電池室の構成を模式的に示している。図６（ａ）は電池室の側面断面図、図６（ｂ）は電池室の正面図である。図６（ａ）は電池が装填された状態を示し、図６（ｂ）は電池の装填途中の状態を示す。図７は、電池装填時の電池接点部（図６（ａ）Ａ部）を拡大した断面図である。また、図８は、電池装填動作を説明する図であり、図８（ａ）は電池の装填途中の状態を示し、図８（ｂ）は電池が装填された状態を示す。
【００４３】
図９は本実施形態のデジタルカメラに用いる電池の斜視図である。電池１１は略直方体形状であって、電池１１の共通の面にマイナス電極１１ａとプラス電極１１ｂが並んで配置されている。
【００４４】
第２の実施形態の電池室は、電池を収納するための電池室１２と、電池電極面と接触する接触部を有し電池収納部１２の外壁に沿って移動可能に保持された電池接片１３と、電池接片１３の接触部を電池電極面に押し付ける付勢力を与えるばね１４とを含む構成である。また、電池の装填に連動して、電池接片３を電池電極面に対し摺動させる摺動手段を有している。
【００４５】
図６、図７を用いて、個々の構成についてさらに詳しく説明する。図６に示すように、電池収納室１２のカメラ側底部には開口部が設けられており、この開口部を通して電池１１が、電池収納室１２の内部に挿脱自在に収納される。なお、電池１１は、電池の電極１１ａ、１１ｂが電池収納室１２の奥側に収納されるよう装填される。
【００４６】
電池接片１３は、電気伝導度のよい金属製の板材でできている。電池接片１３は、細長い略長方形形状の板材の長手方向両端を互いに反対方向に直角に折り曲げられて形成されており、その折り曲げ部の片側には電池１１の電極と当接する接触部１３ａが設けられている。また、電池接片１３は、長穴状のガイド穴１３ｂで電池収納室１２のボス１２ａと嵌合しており、電池収納室２２の外壁に沿って長穴方向（図中Ｃ方向）に移動可能に保持されている。電池接片１３の移動方向Ｃは、電池の装填方向Ｂに対し角度θ傾いている。電池接片１３の接触部１３ａは、電池１１の電極と接触するため、電池収納室１２の内部に突出している。電池収納室１２の外壁には、接触部１３ａの移動に対応した開口１２ｂが設けられている。電池接片１３の、もう一方の折り曲げ部には、ばね１４が接続されている。また、電池接片１３にはリード線１８が接続されており、リード線１８は図示しない回路基板と接続されている。
【００４７】
ばね１４は電池接片３と接続されると共に、もう一端は電池収納室１２の外壁に固定されており、ばね１４は、電池接片１３の接触部１３ａを電池１１の電池電極面１１ａに押し付ける向きに付勢している。
【００４８】
次に電池装填時の電池室の動作について説明する。電池１１を電池収納室１２に装填していくと、図８（ａ）に示すように、電池電極１１ａと接触部１３ａが当接し、電気的接触が行われる。さらに電池１１を電池収納室１２の奥に押し込んでいくと、ばね１４の作用により電池接片１３は電池電極１１ａと当接したまま、電池収納室の外壁に沿ってＣ方向にスライドしていく。電池１１の装填方向Ｂと電池接片１３の移動方向Ｃは、平行ではなく、角度θをなしているので、電池１１を電池収納室１２の奥側に装填するにつれ、電池１１の電池電極１１ａと電池接片１３の接触部１３ａは、互いに擦れ合う。その結果、電池電極１１ａと電池接片の接触部１３ａの表面に付着していた汚れや酸化皮膜が擦り取られ、良好な電気接触状態が得られる。電池電極と電池接片の接触部とが擦れ合う量Ｄは以下の（１）式で与えられる。
Ｄ＝Ｌ・ｓｉｎθ                            （１）
ただし、Ｌは電池接片のＣ方向の移動量である。
【００４９】
電池が完全に奥まで装填され、図示しない電池蓋が閉められると、電池がデジタルカメラ内に収納される。
【００５０】
なお、図６および図８には、説明の簡略化のため、電池接片等は電池電極面１１ａに対する１組しか記載されていないが、実際は電池電極面１１ｂに対するものも同様の構成で存在し、電池の装填において、同じ動作を行う。
【００５１】
以上説明した構成では、電池の装填中、電池電極面と電池接片とが接触した状態にあり、電池を電池室の奥側に装填するにつれ、摺動手段によって、電池接片が電池電極面に対し平行に移動し互いに擦れあう。その結果、電池電極面あるいは電池接片表面の汚れや酸化皮膜が取り除かれ、良好な電気接触状態が得られる。特に、電池収納室奥側にある電池接片は、その汚れや酸化皮膜を容易に取り除くことができないため、良好な電気接触状態を得るためには非常に効果がある。
【００５２】
次に第３の実施形態であるデジタルカメラの電池室について説明する。電池室以外の部分については、第１の実施形態で説明したデジタルカメラと同様の構成を持っているので説明を省略する。図１０は第３の実施形態であるデジタルカメラの電池室の構成を模式的に示しており、電池装填状態（電池蓋は図示しない）を示している。また、図１１は第３の実施形態における電池室の動作を説明する図である。なお、第３の実施形態で使用する電池は図３で示した円筒型の電池である。
【００５３】
第３の実施形態の電池室は、電池を収納するための電池室２２と、電池電極面と接触する電池接片２３と、電池接片２３を保持し回転可能に保持された台板２４と、台板２４を回転可能に保持する軸台２６と、電池の装填に伴い装填方向に直線移動可能に保持されたスライド板と、スライド板の直線移動を台板２４の回転運動に変換する伝達手段（カム）と、スライド板２５に電池の装填方向と逆向きの付勢力を与えるばね２７と、を有する。
【００５４】
図１０を用いて個々の構成についてさらに詳しく説明する。電池収納室２２の一方には開口部が設けられており、この開口部を通して電池２１が、電池収納室２２の内部に挿脱自在に収納される。電池収納室２２は、電池の電池電極面を電池装填方向に垂直な方向に収納する。電池収納室２２の内部には、コイル状の電池接点２３が固定された台板２４と、台板２４を回動可能に保持する軸台２６と、電池２１の装填に連動して装填方向に移動するスライド板２５と、スライド板２５に対して電池の装填方向と逆向きに付勢力を与えるばね２７とが配置されている。電池接片２３には図示しないリード線が接続しており、このリード線によって図示しない回路基板と接続されている。
【００５５】
台板２４は、円盤状の部材であり、上部には電池接片２３が固定され、底部には穴が設けられている。また、側面には突起部２４ｂを有している。台板２４の下部には軸台２６が配置されており、軸台２６は電池収納室２２に固定されている。軸台２６上部にはボスが設けられ、このボスと台板底部の穴が嵌合することで、軸台２６は台板２４を回動可能に保持している。また、台板２４は回転可能であるが上下方向には移動しないよう図示しない機構によって保持されている。
【００５６】
スライド板２５は緩やかに一方向に湾曲した板材であり、その湾曲面の内側から突出する突起部２５ａとカム溝２５ｂとを有している。このカム溝２５ｂは、台板の突起部２４ｂに係合することで、スライド板２５の電池装填に伴う直線移動を、台板２４の回転運動に変換するよう構成されている。また、スライド板２５は、所定の範囲内で電池の挿脱方向のみに移動可能なように、図示しない機構により保持されている。また、スライド板２５は、ばね２７によって、電池の装填方向と逆向き（電池の排出方向）に付勢力を与えられている。
【００５７】
次に図１１を用いて電池室の動作を説明する。電池を装填していくと、電池電極が電池接片３と接触するとともに、電池２１の底部がスライド板の突起部２５ａと当接する。電池接片２３は弾性を持っているため、充分な接触圧が得られる。さらに電池２１を押し込むと、スライド板は図中下方向に押し下げられる。その結果、台板２４の突起部２４ｂがカム溝２５ｂ内を移動し、台板２４は、時計回りに回転する。すなわち、電池を収納室に装填することで、電池接片２３は電池電極と接触しながら回転する。その結果、電池電極と電池接片２３の表面に付着していた汚れや酸化皮膜が擦り取られ、良好な電気接触状態が得られる。
【００５８】
電池が完全に奥まで装填され、図示しない電池蓋が閉められると、電池がデジタルカメラ内に収納される。
【００５９】
以上説明した構成では、電池の装填中、電池電極面と電池接片とが接触し、その後電池を電池室の奥側に装填するにつれ、直線運動を回転運動に変換する伝達手段によって、電池接片が電池電極面に対し回転し互いに擦れあう。その結果、電池電極面あるいは電池接片表面の汚れや酸化皮膜が取り除かれ、良好な電気接触状態が得られる。特に、電池収納室奥側にある電池接片は、その汚れや酸化皮膜を、容易に取り除くことができないため、良好な電気接触状態を得るためには非常に効果がある。
【００６０】
なお、第３の実施形態では、カム溝を利用して直線運動を回転運動に変換したが、これ以外の機構によって直線運動を回転運動に変換してもよい。また、第３の実施形態では、ばね２７を用いてスライド板２５に付勢力を与えているが、台板２４に電池装填による回転方向と反対方向（図中反時計回り）に付勢力を与えてもよい。また、第３の実施形態では、電池１本に対する収納構造について説明したが、電池を複数本使用する場合には、電池収納室の奥側に配置される電池電極に対して、同様の摺動機構を備えればよい。その際、電池接片の形状は電池電極面の形状に合わせて適宜構成すればよい。
【００６１】
また、第２、第３の実施形態の電池収納構造は、電池の装填動作に連動して、電池電極面に対し電池接片を摺動させる摺動機構の例であって、上記で説明した摺動機構に限るものではない。
【００６２】
さらに、以上説明した第１〜第３の実施形態の電池収納構造は、いずれもデジタルカメラの電池室であったが、これに限るものではなく、例えば携帯型電話機や個人用携帯型情報端末（ＰＤＡ：Ｐｅｒｓｏｎａｌ  Ｄｉｇｉｔａｌ  Ａｓｓｉｓｔａｎｔｓ）など、他の電子機器にも上記電池収納構造は広く適用することができる。
【００６３】
【発明の効果】
以上説明したように、請求項１の発明によれば、電池を電池室に装填した後、電池蓋を閉める動作あるいは電池蓋を閉めて閉じ位置に係止させる動作に連動して、電池収納室奥側の電池接片が電池電極面に対し擦れあう構成を持っているので、電池収納室奥側の電池電極面あるいは電池接片の汚れや酸化皮膜を擦り取ることができ、良好な電気接触状態をとることができる。
【００６４】
請求項２から４の発明によれば、電池を電池室に装填する動作に連動して、電池収納室奥側の電池接片が電池電極面に対し擦れあう構成を持っているので、電池収納室奥側の電池電極面あるいは電池接片の汚れや酸化皮膜を擦り取ることができ、良好な電気接触状態をとることができる。
【００６５】
請求項５の発明によれば、請求項１から４の発明による電池収納構造を備えた電子機器であるので、良好な電気接触状態をとることができ安定した動作が行われる。
【図面の簡単な説明】
【図１】第１の実施形態の電池室の動作を説明する図である。
【図２】図５のＡ−Ａ断面図である。
【図３】第１の実施形態のデジタルカメラに用いる電池の斜視図である。
【図４】第１の実施形態であるデジタルカメラの正面方向の斜視図である。
【図５】第１の実施形態であるデジタルカメラの背面方向の斜視図である。
【図６】第２の実施形態の電池室の構成を模式的に示す図である。
【図７】図６で示した電池室の電池接片部（図６（ａ）Ａ部）を拡大した断面図である。
【図８】第２の実施形態における電池室の動作を説明する図である。
【図９】第２の実施形態のデジタルカメラに用いる電池の斜視図である。
【図１０】第３の実施形態の電池室の構成を模式的に示す図である。
【図１１】第３の実施形態における電池室の動作を説明する図である。
【図１２】図１で示した電池室の変形例を模式的に示す図である。
【符号の説明】
１，１１，２１  電池
２，１２，２２  電池収納室
３，２３  電池接片（電池収納室側）
５  電池接片（電池蓋側）
６  電池蓋
７  連動部材
８，１８  リード線
１４，２７  ばね
２４  台板
２５  スライド板
２６  軸台
６０  カム
９１  メモリカード
１００  デジタルカメラ
１０１  撮影レンズ
１０２  フラッシュ
１０３  ファインダー窓
１０４  レリーズボタン
１０５  液晶モニタ
１０６  メインスイッチおよびモード選択スイッチ
１０７  設定ボタン
【図１】
2004192835.tif 000003
【図２】
2004192835.tif 000004
【図３】
2004192835.tif 000005
【図４】
2004192835.tif 000006
【図５】
2004192835.tif 000007
【図６】
2004192835.tif 000008
【図７】
2004192835.tif 000009
【図８】
2004192835.tif 000010
【図９】
2004192835.tif 000011
【図１０】
2004192835.tif 000012
【図１１】
2004192835.tif 000013
【図１２】
2004192835.tif 000014